(57)【特許請求の範囲】
【請求項１】
ロール状に巻かれた被包装体を収納する容器本体と、該容器本体の後面壁の頂縁から回動可能に連設されている蓋体とを備える包装用容器において、
前記容器本体の前面壁に、外側に突出される突出片となる突出片部分を画成する切り線が形成されており、
前記突出片部分の裏面に、該突出片部分の周縁から延出する戻り止めが設けられていることを特徴とする包装用容器。
【請求項２】
前記容器本体の前記前面壁が、前記容器本体の底面壁に一方の長縁が連設された第１壁体と、前記第１壁体の他方の長縁に連設された第２壁体であって、折り曲げられて前記第１壁体の裏面に接着された第２壁体とからなり、
前記突出片部分が前記第１壁体に画成されており、
前記戻り止めが、前記突出片部分により覆われる前記第２壁体の部位に形成された切り線によって画成された部分から構成されていることを特徴とする請求項１に記載の包装用容器。
【請求項３】
前記突出片部分が、閉蓋状態における前記蓋体の前面壁により覆われる前記容器本体の前記前面壁の部位に画成されていることを特徴とする請求項１又は２に記載の包装用容器。
【請求項４】
前記突出片部分が、前記容器本体の前記前面壁の長手方向中央部に画成されていることを特徴とする請求項１〜３のいずれか１項に記載の包装用容器。
【請求項５】
前記蓋体の前記前面壁の端縁部に被包装体切断用のカッターが設けられていることを特徴とする請求項１〜４のいずれか１項に記載の包装用容器。
【請求項６】
前記被包装体が樹脂製フィルムであることを特徴とする請求項１〜４のいずれか１項に記載の包装用容器。
【発明の詳細な説明】
【０００１】
【発明の属する技術分野】
本発明は、ロール状に巻かれた被包装体、例えばラップフィルムに代表される樹脂製フィルムや紙、アルミホイル等を包装するための包装用容器に関するものである。
【０００２】
【従来の技術】
従来から種々の型式のラップフィルムを包装するための容器が知られているが、その多くは厚紙製であり、ロール状に巻かれたラップフィルムを収納する容器本体と、この容器本体に一体的に設けられた蓋体とから構成されている。また、一般に、容器から引き出されたラップフィルムを切断するためのカッターが蓋体の前面壁の裏面に取り付けられている。
【０００３】
この種の容器を用いる場合、蓋体を持ち上げてラップフィルムの先端部を露出させる。そして、フィルム先端部を指で摘んで引き出した後、蓋体を閉じ、カッターにより、引き出したラップフィルムを切断するのである。
【０００４】
ラップフィルムの切断後、容器に残ったラップフィルムの先端部は蓋体の前面壁と容器本体の前面壁との間に配置されるが、容器本体の前面壁表面は平滑な面となっているため、フィルム先端部全体が容器本体の前面壁に密着した状態となることがある。
【０００５】
このようにフィルム先端部が容器本体の前面壁に密着したときには、フィルム先端部を指で摘むことが困難となる。特に、老人や目の不自由な者にとっては、フィルム先端部の位置を見出すことさえも困難である。従って、ラップフィルムの引出しに手間がかかるという問題がある。
【０００６】
かかる問題点に対しては、従来においては、実開平６−５１１２８号公報や特開平１１−５９６９０号公報等に記載されているように、容器本体の前面壁に切り線を入れ、外側に突出する突出片を形成したものが提案されている。図５に示す容器１がその一例であり、容器本体２の前面壁３の突出片４の存在によりラップフィルム５の先端部全体が前面壁３に密着することを防止することが可能となっている。
【０００７】
【発明が解決しようとする課題】
しかしながら、容器本体２の前面壁３に形成された突出片４は、容器１の材料である厚紙（一般的にはコートボール紙）の性質から平坦な状態に戻ろうとするため、図５に示すようにゴム６を用いて突出状態を維持する必要がある（実開平６−５１１２８号公報参照）。ゴム６を容器１の製造工程で取り付けることは手間がかかり、製造コストを高めることとなり、また、使用者にゴムを取り付けることを要請することは好ましくない。
【０００８】
本発明はかかる事情に鑑みてなされたものであり、その目的は、容器本体の前面壁に形成された突出片の突出状態を維持するための手段を提供することにある。
【０００９】
【課題を解決するための手段】
上記目的を達成するために、本発明は、ロール状に巻かれたラップフィルム等の被包装体を収納する容器本体と、該容器本体の後面壁の頂縁から回動可能に連設されている蓋体とを備える包装用容器において、容器本体の前面壁に、外側に突出される突出片となる突出片部分を画成する切り線を形成し、且つ、突出片部分の裏面に、該突出片部分の周縁から延出する戻り止めを設けたことを特徴とする。
【００１０】
このような構成においては、突出片部分を容器の外側に引き出してラップフィルム等の先端部全体の密着防止用の突出片とした場合、戻り止めが突出片の周縁から延出しているため、突出片が内側に戻ろうとしても、戻り止めが容器本体の前面壁の表面に接し、それ以上の移動を阻止することができる。
【００１１】
また、容器本体の前面壁が、容器本体の底面壁に一方の長縁が連設された矩形の第１壁体と、第１壁体の他方の長縁に連設された第２壁体であって、折り曲げられて第１壁体の裏面に接着された第２壁体とからなる場合においては、突出片部分は第１壁体に画成し、戻り止めは、突出片部分により覆われる第２壁体の部位に形成された切り線によって画成されることが好適である。この場合、戻り止めを突出片に別個に取り付ける必要はなく、容器用の型紙を作る段階で、戻り止めや突出片のための切り線を設けるだけでよい。
【００１２】
また、突出片部分は容器本体の前面壁のいずれの部位に設けてもよいが、閉蓋状態における蓋体の前面壁により覆われる部位に画成することが好ましい。カッターが蓋体側に取り付けられている場合、他の部位に突出片があっても、ラップフィルム等の被包装体を切断した直後に残った先端部を浮き上がらせることができないからである。
【００１３】
更に、突出片部分は、容器本体の前面壁の長手方向中央部に画成されていることが好適である。突出片が設けられている場合、そこで被包装体を把持することとなるので、突出片が中央部にあれば、被包装体を把持する位置も被包装体の幅方向の中央部となり、片側での皺発生を抑制することが可能となるからである。
【００１４】
更にまた、本発明は、蓋体の前面壁の先端縁部に被包装体切断用のカッターが設けられている場合に特に有効となるものである。かかる容器の場合、突出片が容器本体の前面壁により押し付けられ、元の位置に戻ろうとするが、本発明の戻り止めでそれを防止することができるからである。
【００１５】
【発明の実施の形態】
以下、図面を参照して本発明の好適な実施形態について詳細に説明する。なお、本明細書において「上」と「下」なる語は図面に示す位置状態での上、下を言うものとする。
【００１６】
図１及び図２は、本発明に従ったラップフィルム包装用の容器を示す斜視図であり、図１は開蓋状態、図２は閉蓋状態を示す図である。図示の容器１０は、１枚の厚紙、好ましくはコートボール紙から作られている。容器１０用の好ましいコートボール紙としては、例えば、表側から順に、印刷特性を向上させるための透明樹脂から成るコート層、透明漂白クラフトパルプから成る白色系の第１の表層、漂白クラフトパルプと脱インキパルプ（古紙の再生パルプ）とから成る白色系の第２の表層、及び古紙の再生パルプから成る古紙層を積層したものが知られている。このようなコートボール紙の場合、折り曲げても、平坦な状態に戻ろうとする特性がある。
【００１７】
図１に示すように、容器１０は、円筒状の紙管１２にロール状に巻き付けられたラップフィルム１４を収納するための容器本体１６と、この容器本体１６に一体的に連設された蓋体１８とから構成されている。閉蓋状態の容器１０の全体形状は図２に示す如く略直方体形状をなす。
【００１８】
容器本体１６の上部は、ラップフィルム１４を引き出すための開口部として開放されている。また、蓋体１８は、容器本体１６の後面壁２０の頂縁から連続して延び、容器本体１６に対して回動可能であり、容器本体１６の開口部を覆うことができるよう構成されている。蓋体１８の前面壁（以下「蓋体前面壁」という）２２の裏面には、引き出されたラップフィルム１４を切断するための鋸刃状のカッター２４が取り付けられている。図示実施形態においては、蓋体前面壁２２の先端縁はＶ字状をなし、その形状に合わせてカッター２４もＶ字状のものが用いられている。このようなＶ字状カッター２４を採用した容器１０の場合、図２に示すように、右手でフィルム先端部を把持し、左手の親指を蓋体前面壁２２の中央部にあてがった状態で容器１０を左手で握り、容器１０を前側、すなわち矢印Ａの方向にひねるのが、最も効率的なラップフィルム１４の切断方法となる。
【００１９】
なお、図１及び図２には示していないが、使用開始前にあっては、蓋体前面壁２２には開封片がミシン目を介して連設されており、容器本体１６の前面壁（以下「本体前面壁」という）２６の表面に接着されている。この開封片により容器１０の封緘がなされ、カッター２４の刃が露出するのを防いでいる。使用時、開封片は除去される。
【００２０】
ここで、本体前面壁２６を展開した図３も参照して本体前面壁２６について更に詳細に説明する。本体前面壁２６は、容器本体１６の底面壁２８に一方の長縁が連設された矩形の第１壁体２６ａと、この第１壁体２６ａと折り線２７で連設された台形の第２壁体２６ｂとからなり、第１壁体２６ａを底面壁２８に対して直角に折り曲げると共に、第２壁体２６ｂを折り線２７に沿って１８０度折り曲げて第１壁体の裏面に接着剤で接着させることで構成されている。なお、符号２６ｃの部分は容器本体１６の側面壁３０に接着される部分である。また、図示実施形態では、第２壁体２６ｂの幅Ｗ１は第１壁体２６ａの幅Ｗ２の２分の１〜３分の１程度となっている。
【００２１】
本体前面壁２６を構成する第１壁体２６ａの長手方向中央部であって、閉蓋状態の蓋体前面壁２２により覆われる部位には、略Ｕ字状の切り線３２が入れられている。より詳細には、切り線３２は、上下方向に延び且つ互いに所定の間隔をおいて配置された第１及び第２の切り線３２ａ，３２ｂと、これらの切り線３２ａ，３２ｂの下端（折り線２７から離れた側の端部）同士を繋ぐよう横方向に延びる第３の切り線３２ｃとから構成されている。図示実施形態では、第３の切り線３２ｃの中央部は折り線２７側に湾曲されている。この切り線３２で囲まれた部分（突出片部分）３４’を外側に引き起こすことで、本体前面壁２６の他の領域から外側に突出する突出片３４が形成される。
【００２２】
また、本体前面壁２６を構成する第２壁体２６ｂの中央部であって、突出片部分３４’の裏側となる部位には２本の切り線３６ａ，３６ｂが入れられている。図４も参照して説明すると、これらの切り線３６ａ，３６ｂは、第２壁体２６ｂの下縁（自由縁）から本体前面壁２６の頂縁（折り線）２７に向って延び、頂縁２７に近いほど両者の間隔が狭まるように形成されている。また、切り線３６ａ，３６ｂの下端部間の間隔は、第１と第２の切り線３２ａ，３２ｂ間の間隔よりも若干大きくなるように、そして、他の位置における切り線３６ａ，３６ｂ間の間隔は第１と第２の切り線３２ａ，３２ｂ間の間隔よりも小さくなるよう、切り線３６ａ，３６ｂは形成されている。更に、突出片部分３４’を外側に引き出す際に切り線３６ａ，３６ｂの間で画成される部分３８がその動きを拘束しないよう、切り線３６ａ，３６ｂの上端から本体前面壁２６の頂縁２７までの距離Ｄ１は、第１及び第２の切り線３２ａ，３２ｂの上端から頂縁２７までの距離Ｄ２よりも小さくされている。
【００２３】
なお、本体前面壁２６の表面には、ラップフィルム１４の巻戻りを防止するための粘着層が設けられることが好適である。粘着層は、ラップフィルム１４の切断直後にフィルム先端部を剥離可能に保持することができるよう、閉蓋状態では蓋体前面壁２２により覆われる部位に形成される。図示実施形態の容器１０では、蓋体前面壁２２の中央部を押さえながらラップフィルム１４を切断するため、粘着層は、本体前面壁２６の中央部、従って突出片３４の表面に設けることが好ましい。
【００２４】
このような構成において、封緘された容器１０を使用者が使用する場合、まず開封片（図示しない）を蓋体前面壁２２から除去して、蓋体１８を開き、本体前面壁２６の裏側に指を差し入れ、第１壁体２６ａの切り線３２に囲まれた突出片部分３４’を外側に押し出す。これによって、図１に示す突出片３４が形成されることになる。この際、第１壁体２６ａに接着された第２壁体２６ｂの切り線３２ａ，３２ｂが挟まれた部分３８も同時に外側に押し出されることになる。図４からも分かるように、部分３８の下隅部４０は、突出片部分３４’の周縁（すなわち切り線３２）から側方に延出している。突出片部分３４’を突出片３４として容器１０の外側に引き出した状態では、部分３８の下隅部４０は、本体前面壁２６の表面であって、突出片３４に隣接する部位に対峙することになる。従って、コートボール紙の特性によって平坦な元の状態に戻ろうとしても、この下隅部４０は、本体前面壁２６に当接するため戻り止めとして機能し、突出片３４の突出状態が維持されることになる。
【００２５】
突出片３４が外側に突出された状態にあるとき、ラップフィルム１４がカッター２４により切断された直後、ラップフィルム１４の先端部の一部が突出片３４によって本体前面壁２６の他の領域から浮き上がった状態となり、使用者は容易にラップフィルム１４を把持することが可能となる。なお、第３の切り線３２ｃが湾曲され、突出片３４の下縁に上向きの凹部４２が形成されているが、この凹部４２の存在により、指を突出片３４の下側に挿入しやすくなり、これによってラップフィルム１４の把持がより一層容易化される。
【００２６】
なお、この際、突出片３４が本体前面壁２６の長手方向中央部に配置されていることから、ラップフィルム１４の幅方向の中央部を摘むことになるので、ラップフィルム１４の片側に皺がよるという弊害が生じにくくなっている。
【００２７】
ラップフィルム１４の先端部を把持したならば、所望の長さを引き出し、図２に示すように、蓋体１８をしっかりと閉じ、容器１０を持っている手の親指で蓋体前面壁２２の中央部を押さえ、容器１０を前方にひねってカッター２４によりラップフィルム１４を切断する。この時、蓋体前面壁２２を介して突出片３４に容器内側への力が作用するが、戻り止め４０の存在により、突出片３４は突出状態に保たれることになる。
【００２８】
なお、このような突出片３４が不要である場合には、部分３４’を押し出す必要がなく、また、突出片３４を引き出した後に不要となった場合には、容器１０の内側に押し戻せばよい。一旦、突出片３４が初期状態となると、戻り止め４０が第１壁体２６ａの裏面に接するので、外側への突出を防止することとなる。
【００２９】
以上、本発明の好適な実施形態について詳細に説明したが、本発明は上記実施形態に限定されないことは言うまでもない。
【００３０】
例えば、上記実施形態では、カッターが蓋体前面壁に取り付けられているが、容器本体の底面壁にカッターが取り付けられた容器であっても本発明は適用可能である。かかる場合、突出片は蓋体前面壁２２で覆われる位置に配設される必要ない。
【００３１】
また、突出片は一カ所に限られず、複数箇所に設けてもよい。
【００３２】
更に、上記実施形態では、本体前面壁を構成する第１壁体と第２壁体に切り線を入れて突出片及び戻り止めを形成するようにしている。切り線の形成は、容器の型紙を製造する段階に組み込むことができ、製造コストを上昇させるものではなく簡便な方法であるが、突出片の裏面に戻り止めとなる紙片を別途に接着することも可能である。
【００３３】
また、戻り止めは突出片の左右の側方のみならず、下縁から下方に延出させるような形態も考えられる。
【００３４】
更にまた、本発明による容器により包装される被包装体は、ラップフィルムのみならず、その他の樹脂製フィルムや紙、アルミホイル等としてもよい。
【００３５】
【発明の効果】
以上述べたように、本発明によれば、ラップフィルム等の被包装体の先端部の一部が突出片の存在により本体前面壁から浮き上がった状態となるので、その先端部を容易に把持し引き出すことが可能となる。特に、被包装体の端縁の位置を見つけることが困難な状況や、目の不自由な者にとって、有効となるものである。しかも、突出片は戻り止めにより突出状態が維持されるので、突出片の表面と本体前面壁の他の領域の表面とが面一になってしまうという弊害が防止され、常時、被包装体を把持しやすい状態が保たれる。
【００３６】
また、蓋体前面壁にカッターが取り付けられている場合、蓋体前面壁を被包装体と共に本体前面壁に押し付ける動作があるため、突出片が元の平坦な状態に戻りやすいが、そのようなタイプの包装用容器に対し、本発明は、前記の突出維持効果を有しているため、特に有効となるものとなる。
【図面の簡単な説明】
【図１】本発明による包装用容器の一実施形態を示す斜視図であり、開蓋状態を示す図である。
【図２】図１の容器の閉蓋状態を示す斜視図である。
【図３】本体前面壁を展開して示す図１と同様な斜視図である。
【図４】本体前面壁を部分的に示す正面図である。
【図５】従来の包装用容器を示す斜視図である。
【符号の説明】
１０…包装用容器、１２…紙管、１４…ラップフィルム（被包装体）、１６…容器本体、１８…蓋体、２０…容器本体の後面壁、２２…蓋体の前面壁、２４…カッター、２６…容器本体の前面壁、２６ａ…第１壁体、２６ｂ…第２壁体、３２（３２ａ，３２ｂ，３２ｃ）…切り線、３４…突出片、３４’…突出片部分、３６ａ，３６ｂ…切り線、３８…戻り止めを含む部分、４０…戻り止め。
【図１】
0004632334.tif 000002
【図２】
0004632334.tif 000003
【図３】
0004632334.tif 000004
【図４】
0004632334.tif 000005
【図５】
0004632334.tif 000006